(57)【特許請求の範囲】
【請求項１】
計時器ムーブメント用のバックラッシ補償機構体であって、カム（３９）と、前記カム（３９）に当接している作動部材（２８）と、前記カム（３９）と同軸であり且つ前記ムーブメントの輪列（２）によって駆動されるようになった歯車（３３）とを有し、前記カム（３９）及び前記歯車（３３）は、前記歯車（３３）が前記カム（３９）を駆動する一方で前記カム（３９）と前記作動部材（２８）の協働により前記作動部材（２８）がセットされる第１の段階、前記作動部材（２８）がセット解除になって前記カム（３９）が瞬時ジャンプを行うようにさせる第２の段階、及び前記カム（３９）が不動化されて前記歯車（３３）が前記カム（３９）に追いついて次の一回転の前記第１の段階の際に前記カム（３９）を再度駆動するまで前記歯車（３３）が前進し続ける第３の段階のシーケンスで、前記歯車（３３）の一回転が構成されるように、互いに連結されており、前記バックラッシ補償機構体は、前記第３の段階中に前記カム（３９）と前記歯車（３３）との間で作用して戻しトルクを前記歯車（３３）に加える弾性手段（５４）を更に有する、バックラッシ補償機構体。
【請求項２】
前記弾性手段（５４）は、ばねで構成され、前記ばねの端部は、それぞれ、前記カム（３９）及び前記歯車（３３）に対して固定されている、請求項１記載のバックラッシ補償機構体。
【請求項３】
前記ばね（５４）は、前記カム（３９）及び前記歯車（３３）と同軸のコイルばねである、請求項２記載のバックラッシ補償機構体。
【請求項４】
前記バックラッシ補償機構体は、ハブ（３３）を有し、前記歯車（３３）は、前記ハブの周りに取り付けられ、前記カム（３９）は、前記ハブに固定され、前記ばね（５４）は、前記ハブ（３４）の周りに設けられ、前記ばねの端部は、それぞれ、前記ハブ（３４）及び前記歯車（３３）に固定されている、請求項３記載のバックラッシ補償機構体。
【請求項５】
前記ばね（５４）の前記端部のうちの少なくとも一方は、フック（５６，５５）によってそれぞれ前記カム（３９）及び前記歯車（３３）に対して固定状態にされている、請求項２〜４のうちいずれか一に記載のバックラッシ補償機構体。
【請求項６】
前記カム（３９）及び前記歯車（３３）は、前記カム（３９）に固定された偏心ピン（４１）によって連結され、前記偏心ピンは、前記歯車（３３）に形成されていて、中心が前記歯車（３３）の軸線上に位置した円弧の形態をしている長円形の開口部（４２）と協働する、請求項１〜５のうちいずれか一に記載のバックラッシ補償機構体。
【請求項７】
前記作動部材（２８）は、レバー（４７）と、前記レバー（４７）を前記カム（３９）に対して付勢するばね（４９）と、を有する、請求項１〜６のうちいずれか一に記載のバックラッシ補償機構体。
【請求項８】
瞬時ジャンプ表示機構体であって、請求項１〜７のうちいずれか一に記載のバックラッシ補償機構体と、前記バックラッシ補償機構体の前記カム（３９）によって駆動される駆動部材（３７）と、前記駆動部材（３７）によって駆動される表示器（２９）とを有する、瞬時ジャンプ表示機構体。
【請求項９】
前記駆動部材（３７）は、前記カム（３９）に対して固定されている、請求項８記載の瞬時ジャンプ表示機構体。
【請求項１０】
前記バックラッシ補償機構体は、請求項４に記載されたバックラッシ補償機構体であり、前記駆動部材（３７）は、前記ハブ（３４）から半径方向に突き出ている、請求項９記載の瞬時ジャンプ表示機構体。
【請求項１１】
前記表示器（２９）は、日付表示器である、請求項８〜１０のうちいずれか一に記載の瞬時ジャンプ表示機構体。
【請求項１２】
計時器ムーブメントであって、請求項１〜７のうちいずれか一に記載のバックラッシ補償機構体、または請求項８〜１１のうちいずれか一に記載の瞬時ジャンプ表示機構体を有する、計時器ムーブメント。
【請求項１３】
前記計時器ムーブメントは、前記バックラッシ補償機構体を駆動する時刻表示輪列（２）を有し、前記時刻表示輪列（２）は、「時」を表す第１の針を備えた可動部（８，９）を、「時」を表す別の針を備えた別の可動部（１１，１２）に連結する差動歯車（１０）を有する、請求項１２記載の計時器ムーブメント。
【請求項１４】
請求項１２又は１３記載の計時器ムーブメントを有する時計。
【発明の詳細な説明】
【技術分野】
【０００１】
本発明は、計時器ムーブメント用のバックラッシ補償機構体に関する。
【０００２】
特に、本発明は、計時器ムーブメント用のバックラッシ補償機構体であって、カムと、カムに当接している作動部材と、カムと同軸であり且つムーブメントの輪列によって駆動されるようになった歯車とを有し、カム及び歯車は、歯車の一回転が、歯車がカムを駆動する一方でカムと作動部材の協働により作動部材がセットされる（作動準備状態にされる）第１の段階、作動部材がカムに瞬時ジャンプを行うようにさせる第２の段階、及びカムが不動化されて歯車がカムに追いついて次の一回転の第１の段階の際にカムを再度駆動するまで歯車が前進し続ける第３の段階のシーケンスとを備えて構成されるよう互いに連結されている形式のバックラッシ補償機構体に関する。
【背景技術】
【０００３】
現在入手できる腕時計や懐中時計（以下、単に「時計」という）は、かかるバックラッシ補償機構体を備えている。これら時計では、バックラッシ補償機構体は、瞬時ジャンプ日付表示機構体の一部である。歯車は、ムーブメントの時刻表示輪列の作用下で２４時間で１回転し、カムは、駆動部材を駆動し、この駆動部材はそれ自体、カムの瞬時ジャンプの際、真夜中に２４時間ごとに１回の割合で１ステップだけ日付表示器を変位させる。第１の段階中、この瞬時ジャンプの前に、カムに対する作動部材の当接により、カム及び歯車の回転方向とは逆の方向に戻しトルクが生じ、このトルクは、歯車に伝達され、このトルクは、ムーブメントの筒かな（cannon pinion）に向かって上流側に伝わり、それにより、時刻表示輪列のバックラッシが抑制される。第３の段階中、瞬時ジャンプ後、かかる戻しトルクは、もはや生じない。というのは、この場合、カムは、歯車に先立つ角度位置で作動部材とカムの凹部との協働によって不動化され、歯車は、カムに対して自由だからである。
【発明の概要】
【発明が解決しようとする課題】
【０００４】
第３の段階は、歯車がカムの角度位置に追いつくまで、即ち、典型的には数時間続く。この時間全体を通じ、時刻表示輪列のバックラッシは、補償されず、したがって、時計が衝撃を受けた場合、針の望ましくない相対変位が生じる場合がある。かかる相対変位は又、針設定（時刻合わせ）又は時差帯変更がバックラッシの蓄積する方向に生じる場合にも起こり得る。この問題は、数本の時針、例えば、１２時間ごとに１回転する２つの互いに異なる時差帯の針又は１２時間ごとに１回転する時針及び２４時間ごとに回転する別の時針を備えた時計の場合や差動装置が針のうちの一方を他方とは別個独立に変更することができるようにするために用いられる場合に特に重要である。この場合、事実、差動装置は、バックラッシをかなり増大させ、その結果、衝撃、針設定又は修正の際、大きなオフセットが時針相互間及びこれら時針の各々と分針との間に現われる場合がある。ユーザによって識別可能なこれらオフセットは、衝撃、針設定又は修正後における輪列の通常の作動によってバックラッシそれ自体がいったん補償された場合にのみ補償される。この補償は、数１０分を要する場合がある。
【課題を解決するための手段】
【０００５】
本発明は、これら欠点を解決し又は少なくともこれら欠点を軽減することを目的としており、この目的のため、本発明は、上述した形式のバックラッシ補償機構体を提案し、このバックラッシ補償機構体は、第３の段階中にカムと歯車との間で作用して戻しトルクを歯車に加える弾性手段を更に有することを特徴とする。
【０００６】
弾性手段は、ばねで構成されるのが良く、ばねの端部は、それぞれ、カム及び歯車に対して固定されている。
【０００７】
ばねは、カム及び歯車と同軸のコイルばねであるのが良い。
【０００８】
本発明のバックラッシ補償機構体は、ハブを更に有するのが良く、歯車は、ハブの周りに取り付けられ、カムは、ハブに固定され、ばねは、ハブの周りに設けられるとともに、ばねの端部が、それぞれハブ及び歯車に固定されている。
【０００９】
ばねの端部のうちの少なくとも一方は、フックによってそれぞれカム及び歯車に対して固定状態にされているのが良い。
【００１０】
カム及び歯車は、カムに固定された偏心ピンによって連結されるのが良く、偏心ピンは、歯車に形成されていて、中心が歯車の軸線上に位置した円弧の形態をしている長円形の開口部と協働する。
作動部材は、レバー及びレバーをカムに押し付けるばねを有するのが良い。
【００１１】
本発明は又、瞬時ジャンプ表示機構体であって、上述のバックラッシ補償機構体と、バックラッシ補償機構体のカムによって駆動される駆動部材と、駆動部材によって駆動される表示器とを有することを特徴とする瞬時ジャンプ表示機構体に関する。
【００１２】
駆動部材は、カムに対して固定されると共にハブから半径方向に突き出ているのが良い。
【００１３】
表示器は、例えば、日付表示器である。
【００１４】
本発明は又、計時器ムーブメントであって、上述のバックラッシ補償機構体または上述の瞬時ジャンプ表示機構体を有することを特徴とする計時器ムーブメントに関する。
【００１５】
このムーブメントは、バックラッシ補償機構体を駆動する時刻表示輪列を有するのが良く、時刻表示輪列は、「時」を表す第１の針を備えた可動部を「時」を表す別の針を備えた別の可動部に連結する差動歯車を有する。
【００１６】
本発明は又、上述の計時器ムーブメントを有する時計に関する。
【００１７】
本発明の他の特徴及び他の利点は、添付の図面を参照して行なわれる以下の詳細な説明を読むと明らかになろう。
【図面の簡単な説明】
【００１８】
【図１】本発明の計時器ムーブメントの一部の断面図である。
【図２】本発明の計時器ムーブメントの一部の別の破線に沿って取った断面図である。
【図３】本発明の計時器ムーブメントに用いられる日付表示器機構体の部分平面図であり、日付表示機構体のコンポーネントが透視状態で示されている図である。
【図４】図３に示された日付表示機構体の一部をなす駆動可動部の平面図である。
【発明を実施するための形態】
【００１９】
図１を参照すると、本発明の機械時計用ムーブメントが、底板１上に、香箱、表輪列(going train)、脱進機構、調速装置（図示せず）及び文字盤３の上方で表示針を回転可能に駆動する時刻表示輪列２を備えている。時刻表示輪列２は、筒かな４、筒かな取り付け歯車５、日の裏輪列歯車及びピニオン６，７、２４時間歯車及びかな８，９、差動歯車１０及び１２時間歯車及びかな１１，１２を有している。筒かな４は、１時間ごとに１回転する「分」を表す針を支持している。筒かな取り付け歯車５は、筒かな４に摩擦の作用で取り付けられていて、この歯車５は、図２に参照符号５ａで示された表輪列の第３かなにより駆動される。筒かな４は、日の裏輪列歯車６を駆動し、この日の裏輪列歯車６は、これに対して固定されている日の裏輪列かな７を介して２４時間歯車８を駆動する。２４時間歯車８は、筒かな４を自由な状態で包囲している管又はパイプ１３に固定的に取り付けられている。管１３は、２４時間かな９を画成し、この管は、２４時間ごとに１回転する２４時間用針と呼ばれる「時」を表す第１の針を支持している。２４時間かな９は、差動歯車１０を介して、全てが互いに対して固定されている１２時間かな１２、１２時間歯車１１、及び中央管１４を有する可動部を駆動する。管１４は、管１３を自由な状態で包囲し、この管１４は、１２時間ごとに１回転する１２時間用針と呼ばれている「時」を表す別の針を支持している。
【００２０】
差動歯車１０は、管１３の周りに自由な状態で設けられていて、周囲に歯１６を備えた遊星枠（遊星キャリア）１５と、遊星枠１５に固定された偏心ピン１７の回りに回動可能に取り付けられた遊星可動部と、を有している。遊星可動部は、２４時間かな９に係合するかな１８と、かな１８に対して固定されていて、１２時間かな１２に係合する歯車１９と、を有している。
【００２１】
通常の動作中、遊星枠１５は、回転するのが阻止され、差動歯車１０は、１２時間かな１２を２４時間かな９から駆動するための歯車減速装置として用いられるに過ぎない。図２で理解できるように、遊星枠１５の歯１６は、スター（星形部材）２１と同軸であると共にこれに対して固定された歯車２０と噛み合い、スター２１は、位置決めジャンパ２２の作用を受ける。歯車２０は、ムーブメントの巻きロッド２３が巻き位置と針設定位置との間の中間軸方向位置にあるとき、輪列２４を介してかかる巻きロッド２３により作動可能である。かくして、巻きロッド２３がこの中間軸方向位置にあるときに巻きロッド２３を回すことにより、遊星枠１５を段階的に変位させて２４時間用針の角度位置を変えないで１２時間用針の角度位置を修正することができる。
【００２２】
伝統的に、針設定は、巻きロッド２３がその軸方向針設定位置にあるときに巻きロッド２３を回すことにより実施可能である。巻きロッド２３の回転により、輪列（図示せず）を介して日の裏輪列歯車６が作動され、それにより、分針、１２時間用針及び２４時間用針が同時に回転する。
【００２３】
本発明のムーブメントは、図１及び図２で理解できる日付表示機構体２５を更に有している。この機構体２５は、中間可動部２６、駆動可動部２７、作動部材２８及び文字盤３に形成されている孔３０を通して連続して見ることができるひと月の日付の番号１〜３１を備えた表示円板２９を有する。
【００２４】
中間可動部２６は、１２時間歯車１１により駆動され、この中間可動部は、互いに対して固定された歯車３１及びかな３２を有している。歯車３１は、１２時間歯車１１と噛み合い、かな３２は、駆動可動部２７の歯車３３と噛み合い、それにより、この歯車３３を２４時間ごとに１回転の割合で駆動する。
【００２５】
駆動可動部２７は、固定シャフト３５、即ち、底板１に対して回転的に固定されたシャフト回りに自由に回転するよう設けられたハブ３４を更に有している。ハブ３４の一方の軸方向端部３６のところには、駆動フィンガ３７が半径方向に延びており、この駆動フィンガ３７は、ハブ３４に対して固定されると共に好ましくはこれと一体に形成されている。ハブ３４の他方の軸方向端部３８の周りには、瞬時ジャンプカム３９が固定的に取り付けられている。歯車３３は、カム３９と、ハブ３４に固定的に取り付けられた組立部品４０との間で、ハブ３４周りに自由に取り付けられている。しかしながら、歯車３３は、カム３９に対して所定角度だけ回転的に変位可能であるようカム３９に連結されている。このため、カム３９内に駆動される偏心ピン４１がホイール３３に形成されると共に中心が歯車３３の軸線上に位置した円弧の形態をしている長円形の開口部４２内に入り込む（図３を比較参照されたい）。
【００２６】
図３及び図４に示されているように、カム３９は、カム３９の中心から遠ざかって先端４４まで延びる螺旋部分の形態をした第１の部分４３と、先端４４からカム３９の中心に向かって延びる第２の凸状部分４５と、凹部の形態をした第３の部分４６とを有している。作動部材２８は、箇所４８回りに回動するレバー４７と、レバー４７を付勢してこれを永続的にカム３９に当てた状態に保つばね４９とを有している。レバー４７は、ローラ５０を介してカム３９と協働する。
【００２７】
日付表示円板２９は、駆動フィンガ３７と協働する内歯５１を有する。可動部２６を介して及ぼされた時刻表示輪列２の作用を受けて、歯車３３が２４時間ごとに１回転の割合で連続的に回転することにより、駆動フィンガ３７は、１ステップだけ日付表示円板２９を駆動するよう歯５１のうちの１つの歯に毎日１回真夜中に接触する。歯車３３の各回転は、次の３つの段階のシーケンスに分解される。即ち、
‐典型的には約１８時間の第１の段階、この段階中、ピン４１は、図３及び図４に点線で示されているように長円形の開口部４２の一端部５２のところに配置されて、この開口部４２の壁によって押され、かくして、カム３９は、矢印Ｒで示された方向に歯車３３に対して固定的に回転駆動され、ローラ５０は、カム３９の第１の部分４３上を転がり、この段階中、レバー４７は、カム３９の第１の部分４３によって持ち上げられ、かくして、ばね４９がセットされる（動作準備状態になる）。
‐ローラ５０がカム３９の先端４４を通過するやいなや始まる第２の段階、この段階中、第１のカム部分４３によって及ぼされた作用から解除されたばね４９は、弛緩し、それにより、レバー４７が落下し、このレバーは、第２のカム部分４５と協働関係をなして、カム３９を歯車３３の回転方向Ｒに素早く変位させ、それにより、カム３９に対して固定されている駆動フィンガ３７は、日付表示円板２９を１ステップだけ変位させ、極めて迅速なので「瞬時（瞬間的）」と呼ばれているこの段階中、ピン４１は、歯車３３を駆動することなく長円形開口部４２内でその他端部５３に向かって変位され、第２の段階の最後に、ローラ５０は、カム３９の凹部４６内に収容され、かくして、カム３９は、回転するのが阻止され、図３及び図４に示されているのはこの位置であり、ピン４１は、実線で示されている。
‐代表的には約６時間の第３の段階、この段階中、依然として回転方向Ｒに回転している歯車３３は、カム３９の角度位置に次第に追いつき、ついには、開口部４２の端部５２がピン４１に接触し、この接触は、歯車３３の次の回転の第１の段階の開始を示している。
【００２８】
第１の段階中、レバー４７は、（ピン４１と開口部４２の端部５２との協働により）、カム３９及びかくして歯車３３に戻しトルク、即ち、歯車３３及びカム３９を方向Ｒとは逆の方向に回転させようとするトルクを及ぼす。この戻しトルクは、筒かな取り付け歯車５５と第３かな５ａとの間で歯車まで伝わり、かくして、時刻表示輪列２のバックラッシを全て補償し、表輪列のバックラッシは、香箱により及ぼされる張力によって既に補償されている。したがって、衝撃、針設定又は１２時間用針の角度位置の修正の場合、針は、互いに対してオフセット状態にはならず又は僅かな角度にオフセット状態になるに過ぎず、他方、レバー４７は、針設定又は修正方向とは無関係に、第１のカム部分４３に当接したままであろう。実際に、時計回りの方向における針設定又は修正の場合、１２時間歯車１１は、可動部２６を介して駆動可動部２７を方向Ｒに駆動し、第１のカム部分４３に当接しているレバー４７は、上述したのと同じ仕方でバックラッシを補償する戻しトルクを発揮する。反時計回りの方向における針設定又は修正の場合、第１のカム部分４３に対するレバー４７の作用により、歯車３３は、方向Ｒとは逆の方向に変位され、歯車３３のこの運動は、（針設定の場合）日の裏輪列可動部６，７により、或いは、（修正の場合）通常の方向とは逆の方向に回転している第３かな５ａにより、保持されると共に制御される。
【００２９】
歯車３３の通常の回転の第３の段階中、レバー４７は、戻しトルクをもはや発生させず、その結果、バックラッシ補償装置が設けられていない場合、先行技術の場合と同様、バックラッシは補償されないようになる。例えば図１に示された歯車１０のような差動歯車は、バックラッシを著しく増大させる。針設定が反時計回りの針の回転により行なわれる場合又は１２時間用針の角度位置の修正が反時計回りの方向に行なわれる場合、バックラッシが累積し、１２時間用針と２４時間用針との間の大きなオフセットが、ちょうどこれら針の各々と分針との間に見えるように現われる場合がある。かかるオフセットは又、時計の受ける衝撃の場合にも現われる場合がある。
【００３０】
この問題をなくし又は軽減するため、戻しばね５４がハブ３４の周りに設けられており、その端部は、それぞれ、歯車３３及びハブ３４に固定されており、カム３９は、このハブ３４に対して固定されている。図示の実施形態では、ばね５４は、コイルばねであり、その端部は、フック５５，５６を介して歯車３３及びハブ３４に固定されている（図１と図４を比較参照されたい）。例えば、フック５５は、歯車３３に設けられている開口部５７の中に引っ掛かり、フック５６は、ハブ３４と駆動フィンガ３７との間の接合部内に引っ掛かる。しかしながら、変形実施形態では、ばね５４は、異なる仕方で歯車３３及びハブ３４に固定されても良い。
【００３１】
上述の歯車３３の回転の第１の段階中、ばね５４は、捩じり状態で締め付けられ、かかるばねは、ピン４１及び開口部４２の端部５３を互いに密接させる傾向があるが、カム３９の第１の部分４３に対するレバー４７の作用は、ばね５４の作用よりも大きく、その結果、ピン４１は、開口部４２の端部５２に当接したままであり、それにより、歯車３３は、カム３９を駆動することができる。第２の段階の際、ばね５４は、弛緩し、かくして、レバー４７と同一の方向に働き、それにより、カム３９の瞬時ジャンプが容易になる。第３の段階の際、カム３９がレバー４７によって底板１に対して固定状態に保持されている場合、ばね５４は、歯車３３が進むと締め付けられ、かくして、第１の段階中のレバー４７の作用と同様に、時刻表示輪列２のバックラッシを抑制する戻しトルクを歯車３３に及ぼす。好ましくは、ばね５４は、瞬時ジャンプの直後に第３の段階が始まるやいなやこのばねが上述の戻しトルクを及ぼし始めるようあらかじめ応力が加えられている。
【００３２】
ばね５４は、コイルばねとは別の形式のばねであっても良い。例えば、ばね５４は、突起を有する異形ばねでも良く、突起は、歯車３３に固定、例えばリベット止めされ、その薄片の端部は、ピン４１に固定、例えば引っ掛けられてもよく、またばね５４は、渦巻きばねでも良く、その内側部分は、歯車３３の軸方向環状突出部周りに固定され、その外側部分は、ピン４１に固定されてもよい。別の変形実施形態では、ばね５４、例えば、ばね４９のような板ばねは、歯車３３に固定され、それ自体歯車３３に枢着されると共にカム３９に対して固定された第２のカムに作用するレバーに作用しても良い。第２のカムは、第１の段階中にカム３９の第１の部分４３の作用と同様に、第３の段階中に歯車３３に固定されているばねを締め付けるよう作用する。
【００３３】
それにもかかわらず、本発明においてはコイルばねの使用が好ましい。事実、第３の段階の開始時と終了時との間における戻しトルクの差をできるだけ減少させ、ばねを再び動作準備状態にするのに必要なトルクが大きすぎることなく、ばねの戻しトルクが十分に大きいようにすることが重要である。これを達成するため、ばねの有効長さは、できるだけ長くなければならない。コイルばねは、長い有効長さを有する。さらに、コイルばねは、当然のことながら、これが嵌められている部品、この場合、ハブ３４により案内される。コイルばねを案内する追加の要素は不要である。
【００３４】
本発明の変形実施形態では、駆動フィンガ３７は、カム３９に対して固定されず、それ自体周知のようにピン４１によって駆動されても良い。
【００３５】
本発明は、大きなバックラッシが存在する場合のある差動歯車を有するムーブメントの関係で特に有利であるが、かかる用途には限定されず、数本の時針が設けられている用途にも限定されない。
【００３６】
また、注目されるように、中間可動部２６、歯車３３、カム３９、ピン４１、作動部材２８及びばね５４により形成される組立体は、駆動フィンガ及び表示器と関連しない状態で使用できるバックラッシ補償機構体を示し、かかる駆動フィンガと表示器の両方は、省かれても良く、或いは、ムーブメントの別の機構体によって駆動されても良い。かくして、上述の組立体は、時刻表示輪列２又はバックラッシを抑制する別の輪列を締めつけるためにのみ用いられても良い。
【符号の説明】
【００３７】
１  底板
２  輪列
３  文字盤
４  筒かな
５  筒かな取り付け歯車
６  日の裏輪列歯車
７，９，１２  かな
８  ２４時間歯車
１０  差動歯車
１１  １２時間歯車
１３，１４  管
２５  日付表示機構体
２６  中間可動部
２７  駆動可動部
２８  作動部材
３３  歯車
３４  ハブ
３９  カム
５４  ばね
【図１】
0005840405.tif 000002
【図２】
0005840405.tif 000003
【図３】
0005840405.tif 000004
【図４】
0005840405.tif 000005